(57)【要約】【課題】別途の発光制御トランジスタと発光制御駆動部を備えることなく、発光を制御可能な表示装置及びその駆動方法に関する。【解決手段】本発明の一実施形態による表示装置は、画素を含み、それぞれの画素はゲート電極が第１ノードに接続され、一電極が第１電源線に接続され、他の電極が第２ノードに接続される第１トランジスタと、第２トランジスタと、第３トランジスタと、一電極が上記第１ノードに接続され、他の電極が上記第２ノードに接続されるストレージキャパシタと、アノードが上記第２ノードに接続され、カソードが第２電源線に接続される発光ダイオードと、を含み、上記第２トランジスタ及び上記第３トランジスタは、一フレーム期間の第１期間においてターンオン状態であり、上記フレーム期間の第２期間において、上記第２トランジスタはターンオフ状態であり、上記第３トランジスタはターンオン状態である。【選択図】図３
2020134944.tif 000002
【特許請求の範囲】
【請求項１】
画素を含み、
それぞれの画素は、
ゲート電極が第１ノードに接続され、一電極が第１電源線に接続され、他の電極が第２ノードに接続される第１トランジスタと、
ゲート電極が第１走査線に接続され、一電極がデータ線に接続され、他の電極が前記第１ノードに接続される第２トランジスタと、
ゲート電極が第２走査線に接続され、一電極が前記第２ノードに接続され、他の電極が初期化線に接続される第３トランジスタと、
一電極が前記第１ノードに接続され、他の電極が前記第２ノードに接続されるストレージキャパシタと、
アノードが前記第２ノードに接続され、カソードが第２電源線に接続される発光ダイオードと、を含み、
前記第２トランジスタ及び前記第３トランジスタは、一フレーム期間の第１期間においてターンオン状態であり、
前記フレーム期間の第２期間において、前記第２トランジスタはターンオフ状態であり、前記第３トランジスタはターンオン状態であることを特徴とする表示装置。
【請求項２】
前記第２期間において、前記初期化線に印加される初期化電圧と前記第２電源線に印加される第２電源電圧の差は、前記発光ダイオードの発光しきい値電圧より低いことを特徴とする請求項１に記載の表示装置。
【請求項３】
前記第１期間において、前記フレーム期間に対応するデータ信号が前記データ線に印加されることを特徴とする請求項２に記載の表示装置。
【請求項４】
前記第１期間及び前記第２期間において、前記発光ダイオードは非発光状態であり、
前記発光ダイオードは、前記フレーム期間において前記第２トランジスタ及び前記第３トランジスタがともにターンオフ状態のとき、前記データ信号に対応する輝度で発光することを特徴とする請求項３に記載の表示装置。
【請求項５】
前記フレーム期間は、前記第２トランジスタ及び前記第３トランジスタがターンオンされる時点から、前記第２トランジスタ及び前記第３トランジスタが再びターンオンされる時点までの期間を意味することを特徴とする請求項４に記載の表示装置。
【請求項６】
移動度センシング期間において、前記初期化線は移動度センシング部に接続されることを特徴とする請求項１に記載の表示装置。
【請求項７】
前記移動度センシング部は、
増幅器と、
前記増幅器の反転端子と出力端子との間に接続されたキャパシタと、
前記増幅器の出力端子に接続されたアナログデジタルコンバータと、を含み、
前記移動度センシング期間において、前記初期化線は前記増幅器の反転端子に接続されることを特徴とする請求項６に記載の表示装置。
【請求項８】
しきい値電圧センシング期間において、前記初期化線はしきい値電圧センシング部に接続されることを特徴とする請求項１に記載の表示装置。
【請求項９】
前記しきい値電圧センシング部は、
基準電圧端子と、
キャパシタと、
前記キャパシタの一電極に接続されたアナログデジタルコンバータと、を含み、
前記しきい値電圧センシング期間において、前記初期化線は前記基準電圧端子にまず接続され、次に前記初期化線は前記キャパシタの一電極に接続されることを特徴とする請求項８に記載の表示装置。
【請求項１０】
前記画素は、一電極が前記発光ダイオードのアノードに接続され、他の電極が前記初期化線と接続されたブーストキャパシタをさらに含むことを特徴とする請求項１に記載の表示装置。
【発明の詳細な説明】
【技術分野】
【０００１】
本発明は、表示装置及びその駆動方法に関する。
【背景技術】
【０００２】
情報化技術が発達するにつれて、ユーザと情報との連結媒体である表示装置の重要性が浮かび上がっている。これに応じて、液晶表示装置（Ｌｉｑｕｉｄ  Ｃｒｙｓｔａｌ  Ｄｉｓｐｌａｙ  Ｄｅｖｉｃｅ）、有機発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）、プラズマ表示装置（Ｐｌａｓｍａ  Ｄｉｓｐｌａｙ  Ｄｅｖｉｃｅ）などの表示装置の使用が増加している。
【０００３】
表示装置は画素を含み、画素の発光の組み合わせにより映像を表示することができる。例えば、表示装置が６０個のフレームを１秒間順次表示するのであれば、該当表示装置は６０Ｈｚで駆動されると表現することができる。
【０００４】
既存の表示装置には、それぞれの画素の発光時間を調節するために、別途の発光制御トランジスタを備える必要がある。例えば、発光制御トランジスタがターンオフされると、駆動トランジスタに供給される電源が遮断されることにより、該当画素は非発光状態になることができる。
【０００５】
しかし、全ての画素に発光制御トランジスタが備えられ、このような発光制御トランジスタを制御するための別途の発光制御駆動部が備えられる場合、表示装置の表示面積が狭くならざるを得ない問題がある。
【先行技術文献】
【特許文献】
【０００６】
【特許文献１】韓国公開特許第１０−２０１７−０１３６１１０号公報
【特許文献２】韓国公開特許第１０−２０１８−００６６６２９号公報
【特許文献３】韓国公開特許第１０−２０１６−００７０６４２号公報
【発明の概要】
【発明が解決しようとする課題】
【０００７】
本発明が解決しようとする技術的課題は、別途の発光制御トランジスタと発光制御駆動部を備えることなく、発光を制御可能な表示装置及びその駆動方法を提供することにある。
【課題を解決するための手段】
【０００８】
本発明の一実施形態による表示装置は、画素を含み、それぞれの画素は、ゲート電極が第１ノードに接続され、一電極が第１電源線に接続され、他の電極が第２ノードに接続される第１トランジスタと、ゲート電極が第１走査線に接続され、一電極がデータ線に接続され、他の電極が上記第１ノードに接続される第２トランジスタと、ゲート電極が第２走査線に接続され、一電極が上記第２ノードに接続され、他の電極が初期化線に接続される第３トランジスタと、一電極が上記第１ノードに接続され、他の電極が上記第２ノードに接続されるストレージキャパシタと、アノードが上記第２ノードに接続され、カソードが第２電源線に接続される発光ダイオードと、を含み、上記第２トランジスタ及び上記第３トランジスタは、一フレーム期間の第１期間においてターンオン状態であり、上記フレーム期間の第２期間において、上記第２トランジスタはターンオフ状態であり、上記第３トランジスタはターンオン状態である。
【０００９】
上記第２期間において、上記初期化線に印加される初期化電圧と上記第２電源線に印加される第２電源電圧の差は、上記発光ダイオードの発光しきい値電圧より低くてもよい。
【００１０】
上記第１期間において、上記フレーム期間に対応するデータ信号が上記データ線に供給されてもよい。
【００１１】
上記第１期間及び上記第２期間において、上記発光ダイオードは非発光状態であり、上記発光ダイオードは、上記フレーム期間において上記第２トランジスタ及び上記第３トランジスタがともにターンオフ状態のとき、上記データ信号に対応する輝度で発光することができる。
【００１２】
上記フレーム期間は、上記第２トランジスタ及び上記第３トランジスタがターンオンされる時点から、上記第２トランジスタ及び上記第３トランジスタが再びターンオンされる時点までの期間を意味することができる。
【００１３】
移動度センシング期間において、上記初期化線は移動度センシング部に接続されてもよい。
【００１４】
上記移動度センシング部は、増幅器と、上記増幅器の反転端子と出力端子との間に接続されたキャパシタと、上記増幅器の出力端子に接続されたアナログデジタルコンバータと、を含み、上記移動度センシング期間において、上記初期化線は上記増幅器の反転端子に接続されてもよい。
【００１５】
しきい値電圧センシング期間において、上記初期化線はしきい値電圧センシング部に接続されてもよい。
【００１６】
上記しきい値電圧センシング部は、基準電圧端子と、キャパシタと、上記キャパシタの一電極に接続されたアナログデジタルコンバータと、を含み、上記しきい値電圧センシング期間において、上記初期化線は上記基準電圧端子にまず接続され、次に上記初期化線は上記キャパシタの一電極に接続されてもよい。
【００１７】
上記画素は、一電極が上記発光ダイオードのアノードに接続され、他の電極が上記初期化線と接続されたブーストキャパシタをさらに含んでもよい。
【００１８】
本発明の一実施形態による表示装置は、画素を含み、それぞれの画素は、ゲート電極が第１ノードに接続され、一電極が第１電源線に接続され、他の電極が第２ノードに接続される第１トランジスタと、ゲート電極が第１走査線に接続され、一電極が上記第２ノードに接続され、他の電極がデータ線に接続される第２トランジスタと、ゲート電極が第２走査線に接続され、一電極が初期化線に接続され、他の電極が上記第１ノードに接続される第３トランジスタと、一電極が上記第１ノードに接続され、他の電極が上記第２ノードに接続されるストレージキャパシタと、アノードが上記第２ノードに接続され、カソードが第２電源線に接続される発光ダイオードと、を含み、上記第２トランジスタ及び上記第３トランジスタは、一フレーム期間の第１期間においてターンオン状態であり、上記フレーム期間の第２期間において、上記第２トランジスタはターンオフ状態であり、上記第３トランジスタはターンオン状態であることができる。
【００１９】
上記第２期間において、上記第２ノードに印加される電圧と上記第２電源線に印加される第２電源電圧の差は、上記発光ダイオードの発光しきい値電圧より低くてもよい。
【００２０】
上記第１期間において、上記フレーム期間に対応するデータ信号が上記データ線に供給されてもよい。
【００２１】
上記第１期間及び上記第２期間において、上記発光ダイオードは非発光状態であり、上記発光ダイオードは、上記フレーム期間において上記第２トランジスタ及び上記第３トランジスタがともにターンオフ状態のとき、上記データ信号に対応する輝度で発光することができる。
【００２２】
上記フレーム期間は、上記第２トランジスタ及び上記第３トランジスタがターンオンされた時点から、上記第２トランジスタ及び上記第３トランジスタが再びターンオンされる時点までの期間を意味することができる。
【００２３】
上記画素は、一電極が上記発光ダイオードのアノードに接続され、他の電極が上記初期化線と接続されたブーストキャパシタをさらに含んでもよい。
【００２４】
本発明の一実施形態による表示装置の駆動方法は、画素を含む表示装置の駆動方法であって、それぞれの画素は、ゲート電極が第１ノードに接続され、一電極が第１電源線に接続され、他の電極が第２ノードに接続される第１トランジスタと、ゲート電極が第１走査線に接続され、一電極がデータ線に接続され、他の電極が上記第１ノードに接続される第２トランジスタと、ゲート電極が第２走査線に接続され、一電極が上記第２ノードに接続され、他の電極が初期化線に接続される第３トランジスタと、一電極が上記第１ノードに接続され、他の電極が上記第２ノードに接続されるストレージキャパシタと、アノードが上記第２ノードに接続され、カソードが第２電源線に接続される発光ダイオードと、を含み、フレーム期間の第１期間において上記第２トランジスタ及び上記第３トランジスタをターンオンさせ、上記フレーム期間の第２期間において、上記第２トランジスタはターンオフさせ、上記第３トランジスタはターンオンさせる。
【００２５】
上記第２期間において、上記初期化線に印加される初期化電圧と上記第２電源線に印加される第２電源電圧の差は上記発光ダイオードの発光しきい値電圧より低くてもよい。
【００２６】
上記第１期間において、上記フレーム期間に対応するデータ信号が上記データ線に供給されてもよい。
【００２７】
上記第１期間及び上記第２期間において、上記発光ダイオードは非発光状態であり、上記発光ダイオードは、上記フレーム期間において上記第２トランジスタ及び上記第３トランジスタがともにターンオフ状態のとき、上記データ信号に対応する輝度で発光することができる。
【００２８】
上記フレーム期間は、上記第２トランジスタ及び上記第３トランジスタがターンオンされた時点から、上記第２トランジスタ及び上記第３トランジスタが再びターンオンされる時点までの期間を意味することができる。
【発明の効果】
【００２９】
本発明による表示装置及びその駆動方法は、別途の発光制御トランジスタと発光制御駆動部を備えることなく、発光を制御可能である。
【図面の簡単な説明】
【００３０】
【図１】本発明の一実施形態による表示装置を説明するための図である。
【図２】本発明の一実施形態による走査駆動部を説明するための図である。
【図３】本発明の一実施形態による画素を説明するための図である。
【図４】図３の画素の駆動方法を説明するための図である。
【図５】本発明の他の実施形態による画素を説明するための図である。
【図６】図５の画素の駆動方法を説明するための図である。
【図７】本発明の一実施形態による画素を説明するための図である。
【図８】図７の画素の駆動方法を説明するための図である。
【図９】本発明の一実施形態による画素を説明するための図である。
【図１０】本発明の一実施形態による移動度センシング部を説明するための図である。
【図１１】本発明の一実施形態によるしきい値電圧センシング部を説明するための図である。
【図１２】図１１のしきい値電圧センシング期間を説明するための図である。
【発明を実施するための形態】
【００３１】
以下、添付した図面を参考して、本発明の様々な実施形態について本発明が属する技術分野で通常の知識を有する者が容易に実施できるように詳細に説明する。本発明は、様々な異なる形態で具現されてもよく、ここで説明する実施形態に限定されない。
【００３２】
本発明を明確に説明するために説明と関係のない部分は省略し、明細書の全体にわたって同一または類似する構成要素に対しては同じ参照符号を付する。従って、上述した参照符号は他の図面でも使用することができる。
【００３３】
また、図面に示された各構成の大きさ及び厚さは、説明の便宜のために任意で示したものであり、本発明は必ずしも図示されたものに限定されない。図面において、複数の層及び領域を明確に表現するために厚さを誇張して示すことができる。
【００３４】
図１は、本発明の一実施形態による表示装置を説明するための図である。
【００３５】
図１を参照すると、本発明の一実施形態による表示装置１０は、タイミング制御部１１、データ駆動部１２、走査駆動部１３、画素部１４、及び初期化電源供給部１５を含む。
【００３６】
タイミング制御部１１は、外部プロセッサからフレーム情報と制御信号を受信することができる。タイミング制御部１１は、受信されたフレーム情報と制御信号を表示装置１０の仕様（ｓｐｅｃｉｆｉｃａｔｉｏｎ）に適合するように変換し、データ駆動部１２及び走査駆動部１３に供給することができる。例えば、タイミング制御部１１は、画素部１４の画素のそれぞれに対する階調値及び制御信号をデータ駆動部１２に供給することができる。また、タイミング制御部１１は、クロック信号、走査開始信号などの制御信号を走査駆動部１３に供給することができる。
【００３７】
データ駆動部１２は、タイミング制御部１１から受信した階調値及び制御信号を利用してデータ線Ｄ１、Ｄ２、Ｄ３、．．．、Ｄｍに供給するデータ信号を生成することができる。このとき、ｍは０より大きい整数であることができる。例えば、画素行単位で生成されたデータ信号はデータ線Ｄ１〜Ｄｍに同時に供給されてもよい。
【００３８】
走査駆動部１３は、タイミング制御部１１からクロック信号、走査開始信号などの制御信号を供給され、第１走査線Ｓ１１、Ｓ１２、．．．、Ｓ１ｎ及び第２走査線Ｓ２１、Ｓ２２、．．．、Ｓ２ｎに供給する走査信号を生成することができる。このとき、ｎは０より大きい整数であることができる。例えば、走査駆動部１３は、第１走査線Ｓ１１〜Ｓ１ｎに順にターンオンレベルの走査信号を供給することにより、データ信号が書き込まれる画素行を選択することができる。
【００３９】
画素部１４は画素を含む。それぞれの画素ＰＸｉｊは、対応するデータ線、第１走査線、第２走査線、及び初期化線と接続される。また、各画素ＰＸｉｊは、第１電源線ＥＬＶＤＤ及び第２電源線ＥＬＶＳＳと接続される。例えば、データ信号がデータ駆動部１２からデータ線Ｄ１〜Ｄｍに供給されると、走査駆動部１３からターンオンレベルの第１走査信号を供給された画素行にデータ信号が書き込まれる。
【００４０】
初期化電源供給部１５は、初期化線Ｉ１、Ｉ２、Ｉ３、．．．、Ｉｍに初期化電圧を印加する。このとき、初期化電圧と第２電源線ＥＬＶＳＳに印加される電圧の差は、各画素の発光ダイオードの発光しきい値電圧より低くてもよい。一実施形態において、初期化電源供給部１５は、初期化線Ｉ１、Ｉ２、Ｉ３、．．．、Ｉｍに連続して初期化電圧を印加することができる。他の実施形態では、初期化電源供給部１５は、タイミング制御部１１または他の制御部に応じて初期化線Ｉ１、Ｉ２、Ｉ３、．．．、Ｉｍに不連続的に初期化電圧を印加することもできる。例えば、初期化電源供給部１５は、ターンオンレベルの第２走査信号に同期して初期化電圧を印加する。
【００４１】
また、図１に図示されていないが、表示装置１０は、移動度センシング部ＭＢＳＵ（図１０を参照）及びしきい値電圧センシング部ＴＨＳＵ（図１１を参照）をさらに含んでもよい。初期化線Ｉ１、Ｉ２、Ｉ３、．．．、Ｉｍがセンシング線として機能する本発明の一実施形態において（図３及び図５）、移動度センシング部ＭＢＳＵ及びしきい値電圧センシング部ＴＨＳＵは初期化電源供給部１５に含まれてもよい。データ線Ｄ１〜Ｄｍがセンシング線として機能する本発明の一実施形態において（図７及び図９）、移動度センシング部ＭＢＳＵ及びしきい値電圧センシング部ＴＨＳＵはデータ駆動部１２に含まれてもよい。本発明の一実施形態において、移動度センシング部ＭＢＳＵ及びしきい値電圧センシング部ＴＨＳＵは、データ駆動部１２及び初期化電源供給部１５とは別に構成されてもよい。
【００４２】
図２は、本発明の一実施形態による走査駆動部を説明するための図である。
【００４３】
走査駆動部１３は、複数のステージＳＴ１、ＳＴ２、ＳＴ３、．．．を含んでもよい。それぞれのステージＳＴ１、ＳＴ２、ＳＴ３、．．．は、実質的に同じ回路構造で構成されてもよい。
【００４４】
それぞれのステージＳＴ１、ＳＴ２、ＳＴ３、．．．は、クロック信号ＣＬＫｓを供給され、高電圧ＶＤＤ、及び低電圧ＶＳＳを印加される。また、第１ステージＳＴ１を除いた他のステージＳＴ２、ＳＴ３、．．．は、前段ステージから対応するキャリー信号ＣＲ１、ＣＲ２、ＣＲ３、．．．を供給される。第１ステージＳＴ１は前段ステージがないため、走査開始信号ＳＴＶをタイミング制御部１１から供給される。
【００４５】
それぞれのステージＳＴ１、ＳＴ２、ＳＴ３、．．．は、クロック信号ＣＬＫｓ及びキャリー信号ＣＲ１、ＣＲ２、ＣＲ３、．．．を供給されると、第１走査線Ｓ１１、Ｓ１２、Ｓ１３、．．．に第１走査信号を供給し、第２走査線Ｓ２１、Ｓ２２、Ｓ２３、．．．に第２走査信号を供給する。従って、ステージＳＴ１、ＳＴ２、ＳＴ３、．．．は、順にターンオンレベルの第１走査信号または第２走査信号を供給することができる。
【００４６】
ターンオンレベルとは、該当信号をゲート電極に供給されるトランジスタがターンオンする電圧レベルを意味する。例えば、該当トランジスタがＮ型（例えば、ＮＭＯＳ）である場合、ターンオンレベルはロジックハイレベル（ｌｏｇｉｃ  ｈｉｇｈ  ｌｅｖｅｌ）であってもよい。また、該当トランジスタがＰ型（例えば、ＰＭＯＳ）である場合、ターンオンレベルはロジックローレベル（ｌｏｇｉｃ  ｌｏｗ  ｌｅｖｅｌ）であってもよい。以下では、トランジスタがＮ型で構成される場合を想定して説明する。このとき、ターンオンレベルはロジックハイレベルであってもよい。
【００４７】
本発明の一実施形態において、第１走査線Ｓ１１、Ｓ１２、Ｓ１３、．．．は、対応するスイッチＳＷ１、ＳＷ２、ＳＷ３、．．．と接続される。スイッチＳＷ１、ＳＷ２、ＳＷ３、．．．は、低電圧ＶＳＳが印加される電源線、または、対応する第２走査線Ｓ２１、Ｓ２２、Ｓ２３、．．．に接続されてもよい。即ち、ステージＳＴ１、ＳＴ２、ＳＴ３、．．．が第２走査線Ｓ２１、Ｓ２２、Ｓ２３、．．．にターンオンレベルの第２走査信号を供給すると、スイッチＳＷ１、ＳＷ２、ＳＷ３の接続状態に応じ、第１走査線Ｓ１１、Ｓ１２、Ｓ１３、．．．にターンオンレベルの第１走査信号が供給されるのか、低電圧ＶＳＳ状態の第１走査信号が供給されるのかが決定される。スイッチＳＷ１、ＳＷ２、ＳＷ３の接続状態は、タイミング制御部１１または他の制御部によって制御される。
【００４８】
本発明の一実施形態によると、単一走査駆動部１３を利用し、第１走査線Ｓ１１、Ｓ１２、Ｓ１３、．．．及び第２走査線Ｓ２１、Ｓ２２、Ｓ２３、．．．に対する走査信号の供給が可能であるため、走査駆動部１３による表示装置１０の表示面積をより広く確保することができる。
【００４９】
図３は、本発明の一実施形態による画素を説明するための図である。
【００５０】
図３を参照すると、画素ＰＸｉｊａはトランジスタＴ１ａ、Ｔ２ａ、Ｔ３ａ、ストレージキャパシタＣＳａ、及び発光ダイオードＬＤａを含む。
【００５１】
第１トランジスタＴ１ａはゲート電極が第１ノードＮ１ａに接続され、一電極が第１電源線ＥＬＶＤＤに接続され、他の電極が第２ノードＮ２ａに接続される。第１トランジスタＴ１ａは駆動トランジスタと名付けられる。
【００５２】
第２トランジスタＴ２ａはゲート電極が第１走査線Ｓ１ｉに接続され、一電極がデータ線Ｄｊに接続され、他の電極が第１ノードＮ１ａに接続される。第２トランジスタＴ２ａは走査トランジスタ、スイッチングトランジスタなどと名付けられてもよい。
【００５３】
第３トランジスタＴ３ａはゲート電極が第２走査線Ｓ２ｉに接続され、一電極が第２ノードＮ２ａに接続され、他の電極が初期化線Ｉｊに接続される。第３トランジスタＴ３ａはセンシングトランジスタと名付けられてもよい。
【００５４】
ストレージキャパシタＣＳａは一電極が第１ノードＮ１ａに接続され、他の電極が第２ノードＮ２ａに接続される。
【００５５】
発光ダイオードＬＤａはアノードが第２ノードＮ２ａに接続され、カソードが第２電源線ＥＬＶＳＳに接続される。発光ダイオードＬＤａは、有機発光ダイオード（ｏｒｇａｎｉｃ  ｌｉｇｈｔ  ｅｍｉｔｔｉｎｇ  ｄｉｏｄｅ）であってもよいし、無機発光ダイオード（ｉｎｏｒｇａｎｉｃ  ｌｉｇｈｔ  ｅｍｉｔｔｉｎｇ  ｄｉｏｄｅ）であってもよい。
【００５６】
ここで、ｉは０より大きい整数である。また、ｊは０より大きい整数である。
【００５７】
図４は、図３の画素の駆動方法を説明するための図である。
【００５８】
図３及び図４を参照し、画素ＰＸｉｊａに対する一フレーム期間１ＦＲＡＭＥを基準として表示装置１０の動作を説明する。
【００５９】
ここで、一フレーム期間１ＦＲＡＭＥは、第２トランジスタＴ２ａ及び第３トランジスタＴ３ａが同時にターンオンされる時点から、第２トランジスタＴ２ａ及び第３トランジスタＴ３ａが再び同時にターンオンされる時点までの期間を意味することができる。ここで定義された一フレーム期間１ＦＲＡＭＥは各画素行ごとに開始時点と終了時点が異なってもよい。しかし、全ての画素行の一フレーム期間１ＦＲＡＭＥの長さは互いに同一である。
【００６０】
図３に示される一フレーム期間１ＦＲＡＭＥは、一つ前のフレーム期間において、画素ＰＸｉｊａの第１ノードＮ１ａには電圧（ＶＤ１−ＶＩＮＴ）＋ＶＮ２が印加された状態であり、第２ノードＮ２ａには電圧ＶＮ２が印加された状態である。即ち、ストレージキャパシタＣＳａは、一つ前のフレーム期間のデータ信号ＶＤ１と初期化電圧ＶＩＮＴの差分だけの電圧を保持し、第１トランジスタＴ１ａはストレージキャパシタＣＳａが保持する電圧に対応して第１電源線ＥＬＶＤＤと第２電源線ＥＬＶＳＳの間に流れる電流量を調節する。従って、発光ダイオードＬＤａは、データ信号ＶＤ１に対応する輝度で発光することができる。
【００６１】
それぞれのフレーム期間１ＦＲＡＭＥにおいて、ターンオンレベルの第１走査信号が、第１走査線Ｓ１ｉにｐ回供給されることができ、ターンオンレベルの第２走査信号が、第２走査線Ｓ２ｉにｑ回供給されることができる。ｐは０より大きい整数であることができ、ｑはｐより大きい整数であることができる。図４に示される本発明の一実施形態において、ｐは１であり、ｑは３である場合が図示されているが、本発明の一実施形態において、ｐとｑは異なって設定されてもよい。
【００６２】
第１期間Ｐ１において、走査駆動部１３によって、ターンオンレベルの第１走査信号が、第１走査線Ｓ１ｉに供給され、ターンオンレベルの第２走査信号が、第２走査線Ｓ２ｉに供給されることができる。これにより、第２トランジスタＴ２ａ及び第３トランジスタＴ３ａがターンオンされることができる。また、データ駆動部１２によってフレーム期間１ＦＲＡＭＥに対応するデータ信号ＶＤ２がデータ線Ｄｊに供給されることができる。また、初期化電源供給部１５によって初期化電圧ＶＩＮＴが初期化線Ｉｊに印加されることができる。従って、第２トランジスタＴ２ａを介して第１ノードＮ１ａにデータ信号ＶＤ２が供給され、第３トランジスタＴ３ａを介して第２ノードＮ２ａに初期化電圧ＶＩＮＴが印加されることができる。
【００６３】
初期化線Ｉｊに印加される初期化電圧ＶＩＮＴと第２電源線ＥＬＶＳＳに印加される第２電源電圧の差は、発光ダイオードＬＤａの発光しきい値電圧より低くてもよい。発光ダイオードＬＤａは、アノードとカソードに印加される電圧の差が発光しきい値電圧を超えなければ発光することができない。従って、第１期間Ｐ１において発光ダイオードＬＤａは非発光状態であることができる。第１期間Ｐ１は、データ書き込み区間と名付けられてもよい。
【００６４】
第１期間Ｐ１が終了すると、ターンオフレベルの第１走査信号及び第２走査信号が、それぞれ第１走査線Ｓ１ｉ及び第２走査線Ｓ２ｉに供給されることができる。従って、第２トランジスタＴ２ａ及び第３トランジスタＴ３ａがターンオフされることができる。
【００６５】
ストレージキャパシタＣＳａは、第１トランジスタＴ１ａのゲート電極とソース電極の電圧差を保持するため、第１トランジスタＴ１ａはターンオン状態であることができる。従って、第１電源線ＥＬＶＤＤから第２電源線ＥＬＶＳＳに電流が流れ、第２ノードＮ２ａには電圧ＶＮ２が印加されることができる。電圧ＶＮ２は下記に示される数式１によって決定されることができる。
【００６６】
【数１】
2020134944.tif 000003
【００６７】
ここで、ＥＬＶＤＤｖは第１電源線ＥＬＶＤＤに印加される電圧値、ＥＬＶＳＳｖは第２電源線ＥＬＶＳＳに印加される電圧値、Ｔ１ｒは第１トランジスタＴ１ａのターンオン抵抗値、ＬＤｒは発光ダイオードＬＤａの抵抗値であることができる。即ち、電圧ＶＮ２は第１トランジスタＴ１ａと発光ダイオードＬＤａ間の抵抗比によって決定されることができる。
【００６８】
ストレージキャパシタＣＳａは、一電極と他の電極との間の電圧差を保持するため、第１ノードＮ１ａの電圧は電圧（ＶＤ２−ＶＩＮＴ）＋ＶＮ２に変化する。
【００６９】
従って、発光ダイオードＬＤａは、フレーム期間１ＦＲＡＭＥにおいて第２トランジスタＴ２ａ及び第３トランジスタＴ３ａがともにターンオフ状態のとき、データ信号ＶＤ２に対応する輝度で発光することができる。
【００７０】
第２期間Ｐ２において、走査駆動部１３によって、ターンオフレベル第１走査信号が、第１走査線Ｓ１ｉに供給され、ターンオンレベルの第２走査信号が、第２走査線Ｓ２ｉに供給されることができる。これにより、第２トランジスタＴ２ａはターンオフ状態で、第３トランジスタＴ３ａはターンオンされることができる。このとき、初期化電源供給部１５によって初期化電圧ＶＩＮＴが初期化線Ｉｊに印加されることができる。従って、第３トランジスタＴ３ａを介して第２ノードＮ２ａに初期化電圧ＶＩＮＴが印加され、第１ノードＮ１ａはフローティング状態（ｆｌｏａｔｉｎｇ  ｓｔａｔｅ）であることができる。ストレージキャパシタＣＳａは、一電極と他の電極との間の電圧差を保持するため、第２ノードＮ２ａの電圧に応じて第１ノードＮ１ａの電圧が下降することができる。
【００７１】
初期化線Ｉｊに印加される初期化電圧ＶＩＮＴと第２電源線ＥＬＶＳＳに印加される第２電源電圧の差は、発光ダイオードＬＤａの発光しきい値電圧より低くてもよい。従って、第２期間Ｐ２において発光ダイオードＬＤａは非発光状態であることができる。第２期間Ｐ２は非発光区間と名付けられてもよい。
【００７２】
第２期間Ｐ２が終了すると、ターンオフレベルの第１走査信号及び第２走査信号がそれぞれ第１走査線Ｓ１ｉ及び第２走査線Ｓ２ｉに供給されることができる。従って、第２トランジスタＴ２ａ及び第３トランジスタＴ３ａがターンオフされることができる。
【００７３】
ストレージキャパシタＣＳａの一電極と他の電極間の電圧差は持続的に保持されることができ、発光ダイオードＬＤａは、フレーム期間１ＦＲＡＭＥにおいて第２トランジスタＴ２ａ及び第３トランジスタＴ３ａがともにターンオフ状態のとき、データ信号ＶＤ２に対応する輝度で発光することができる。
【００７４】
第３期間Ｐ３において、表示装置１０は第２期間Ｐ２と実質的に同様に駆動されるため、ここでは重複する説明を省略する。
【００７５】
フレーム期間１ＦＲＡＭＥが終了し、次のフレーム期間は第４期間Ｐ４を含んでもよい。第４期間Ｐ４では、データ線Ｄｊにデータ信号ＶＤ３が印加されることができる。第４期間Ｐ４において、表示装置１０は第１期間Ｐ１と実質的に同様に駆動されるため、ここでは重複する説明を省略する。
【００７６】
本発明の一実施形態によると、走査駆動部１３は、一フレーム期間１ＦＲＡＭＥ中の非発光区間Ｐ２、Ｐ３の回数を調節することにより、画素ＰＸｉｊａの発光時間を調節することができる。従って、本発明の一実施形態による表示装置は、発光制御トランジスタ及び発光制御駆動部を備えていなくても、画素ＰＸｉｊａの発光時間を調節することができる。特に、データ信号の調節のみで、低階調を表現することは困難である可能性が高い。本発明の一実施形態のように、データ信号の大きさとともに該当画素ＰＸｉｊａの発光時間を調節することによって、低階調をよりよく表現することができる。
【００７７】
図５は、本発明の一実施形態による画素を説明するための図である。
【００７８】
図５の画素ＰＸｉｊａ’は、図３の画素ＰＸｉｊａと比べてブーストキャパシタＣＢａをさらに含む。
【００７９】
ブーストキャパシタＣＢａは一電極が発光ダイオードＬＤａのアノードに接続され、他の電極が初期化線Ｉｊと接続されることができる。
【００８０】
図６は、図５の画素の駆動方法を説明するための図である。
【００８１】
図６の駆動方法において、図４と重複する部分のここでの説明は省略する。図６には、図４のタイミング図を、第２期間Ｐ２を中心として拡大して示した。
【００８２】
初期化電源供給部１５は、初期化線Ｉｊに初期化電圧ＶＩＮＴを不連続的に印加することができる。例えば、初期化電源供給部１５は、第２走査線Ｓ２（ｉ−１）、Ｓ２ｉ、Ｓ２（ｉ＋１）に供給されるターンオンレベルの第２走査信号に同期し、初期化線Ｉｊに初期化電圧ＶＩＮＴを印加することができる。初期化電源供給部１５は、初期化電圧ＶＩＮＴが印加されないとき、初期化線Ｉｊをフローティングさせ、不定の状態（ｕｎｄｅｆｉｎｅｄ  ｓｔａｔｅ）にすることができる。
【００８３】
本発明の一実施形態によると、第３トランジスタＴ３ａがターンオンされるときと同期し、初期化線Ｉｊの電圧を不定の状態から初期化電圧ＶＩＮＴに変化させ、ブーストキャパシタＣＢａによって第２ノードＮ２ａの電圧をさらに早く放電することができる。従って、フレーム期間１ＦＲＡＭＥの第１〜第３期間Ｐ１、Ｐ２、Ｐ３において発光ダイオードＬＤａが迅速に非発光状態になることにより、発光ダイオードＬＤａの発光時間をさらに精密に調節することができる。
【００８４】
図５の画素ＰＸｉｊａ’の初期化線Ｉｊに連続して初期化電圧ＶＩＮＴが印加されると、第３トランジスタＴ３ａがターンオン状態である場合においても、ブーストキャパシタＣＢａは第２ノードＮ２ａと初期化線Ｉｊ間の電圧差を保持することができる。従って、本発明の一実施形態によると、長い時間をかけて、発光ダイオードＬＤａを非発光状態にすることもできる。
【００８５】
また、本発明の一実施形態において、初期化電源供給部１５は、初期化線Ｉｊに初期化電圧ＶＩＮＴより大きい電圧を印加することもできる。このような場合、第３トランジスタＴ３ａがターンオンされるときと同期し、初期化線Ｉｊに下降パルスが発生し、第２ノードＮ２ａの電圧をさらに早く放電することができる。
【００８６】
図７は、本発明の他の実施形態による画素を説明するための図である。
【００８７】
図７を参照すると、画素ＰＸｉｊｂはトランジスタＴ１ｂ、Ｔ２ｂ、Ｔ３ｂ、ストレージキャパシタＣＳｂ、及び発光ダイオードＬＤｂを含んでもよい。
【００８８】
第１トランジスタＴ１ｂはゲート電極が第１ノードＮ１ｂに接続され、一電極が第１電源線ＥＬＶＤＤに接続され、他の電極が第２ノードＮ２ｂに接続されることができる。第１トランジスタＴ１ｂは駆動トランジスタと名付けられてもよい。
【００８９】
第２トランジスタＴ２ｂはゲート電極が第１走査線Ｓ１ｉに接続され、一電極が第２ノードＮ２ｂに接続され、他の電極がデータ線Ｄｊに接続されることができる。第２トランジスタＴ２ｂは走査トランジスタ、スイッチングトランジスタなどと名付けられてもよい。
【００９０】
第３トランジスタＴ３ｂはゲート電極が第２走査線Ｓ２ｉに接続され、一電極が初期化線Ｉｊに接続され、他の電極が第１ノードＮ１ｂに接続される。第３トランジスタＴ３ｂはセンシングトランジスタと名付けられてもよい。
【００９１】
ストレージキャパシタＣＳｂは一電極が第１ノードＮ１ｂに接続され、他の電極が第２ノードＮ２ｂに接続されることができる。
【００９２】
発光ダイオードＬＤｂはアノードが第２ノードＮ２ｂに接続され、カソードが第２電源線ＥＬＶＳＳに接続されることができる。発光ダイオードＬＤｂは、有機発光ダイオードまたは無機発光ダイオードであってもよい。
【００９３】
図８は、図７の画素の駆動方法を説明するための図である。
【００９４】
図７及び図８を参照して、画素ＰＸｉｊｂに対する一フレーム期間１ＦＲＡＭＥを基準として表示装置１０の動作を説明する。
【００９５】
図８に示される一フレーム期間１ＦＲＡＭＥは、一つ前のフレーム期間において、画素ＰＸｉｊｂの第１ノードＮ１ｂには電圧（ＶＩＮＴ−ＶＤ１）＋ＶＮ２が印加された状態であり、第２ノードＮ２ｂには電圧ＶＮ２が印加された状態である。ストレージキャパシタＣＳｂは、一つ前のフレーム期間の初期化電圧ＶＩＮＴとデータ信号ＶＤ１の差分の電圧を保持し、第１トランジスタＴ１ｂはストレージキャパシタＣＳｂが保持する電圧に応じ、第１電源線ＥＬＶＤＤと第２電源線ＥＬＶＳＳの間に流れる電流量を調節する。従って、発光ダイオードＬＤｂは、データ信号ＶＤ１に対応する輝度で発光することができる。
【００９６】
第１期間Ｐ１において、走査駆動部１３によって、ターンオンレベルの第１走査信号が、第１走査線Ｓ１ｉに供給され、ターンオンレベルの第２走査信号が、第２走査線Ｓ２ｉに供給されることができる。これにより、第２トランジスタＴ２ｂ及び第３トランジスタＴ３ｂがターンオンされることができる。また、データ駆動部１２によってフレーム期間１ＦＲＡＭＥに対応するデータ信号ＶＤ２がデータ線Ｄｊに供給されることができる。また、初期化電源供給部１５によって初期化電圧ＶＩＮＴが初期化線Ｉｊに印加されることができる。従って、第２トランジスタＴ２ｂを介して第２ノードＮ２ｂにデータ信号ＶＤ２が供給され、第３トランジスタＴ３ｂを介して第１ノードＮ１ｂに初期化電圧ＶＩＮＴが印加されることができる。
【００９７】
第２ノードＮ２ｂに印加される電圧（例えば、データ信号ＶＤ２）と第２電源線ＥＬＶＳＳに印加される第２電源電圧の差は、発光ダイオードＬＤｂの発光しきい値電圧より低くてもよい。従って、第１期間Ｐ１において、発光ダイオードＬＤｂは非発光状態であることができる。第１期間Ｐ１はデータ書き込み区間と名付けられてもよい。
【００９８】
第１期間Ｐ１が終了すると、ターンオフレベルの第１走査信号及び第２走査信号が、それぞれ、第１走査線Ｓ１ｉ及び第２走査線Ｓ２ｉに供給されることができる。従って、第２トランジスタＴ２ｂ及び第３トランジスタＴ３ｂがターンオフされることができる。
【００９９】
ストレージキャパシタＣＳｂは、第１トランジスタＴ１ｂのゲート電極とソース電極の電圧差を保持するため、第１トランジスタＴ１ｂはターンオン状態であることができる。従って、第１電源線ＥＬＶＤＤから第２電源線ＥＬＶＳＳに電流が流れ、第２ノードＮ２ｂには電圧ＶＮ２が印加されることができる。電圧ＶＮ２は上述した数式１を参照する。
【０１００】
ストレージキャパシタＣＳｂは一電極と他の電極との間の電圧差を保持するため、第１ノードＮ１ｂの電圧は、電圧（ＶＩＮＴ−ＶＤ２）＋ＶＮ２に変化する。
【０１０１】
従って、発光ダイオードＬＤｂは、フレーム期間１ＦＲＡＭＥにおいて第２トランジスタＴ２ｂ及び第３トランジスタＴ３ｂがともにターンオフ状態のとき、データ信号ＶＤ２に対応する輝度で発光することができる。
【０１０２】
第２期間Ｐ２において、走査駆動部１３によって、ターンオフレベルの第１走査信号が、第１走査線Ｓ１ｉに供給され、ターンオンレベルの第２走査信号が、第２走査線Ｓ２ｉに供給されることができる。これにより、第２トランジスタＴ２ｂはターンオフ状態であり、第３トランジスタＴ３ｂはターンオンされることができる。このとき、初期化電源供給部１５によって初期化電圧ＶＩＮＴが初期化線Ｉｊに印加されると、第３トランジスタＴ３ｂを介して第１ノードＮ１ｂに初期化電圧ＶＩＮＴが印加されることができる。ストレージキャパシタＣＳｂは一電極と他の電極との間の電圧差を保持するため、第１ノードＮ１ｂの電圧に応じて第２ノードＮ２ｂの電圧が下降することができる。従って、第２期間Ｐ２において、発光ダイオードＬＤｂは非発光状態であることができる。第２期間Ｐ２は非発光区間と名付けられてもよい。
【０１０３】
第２期間Ｐ２が終了すると、ターンオフレベルの第１走査信号及び第２走査信号が、それぞれ第１走査線Ｓ１ｉ及び第２走査線Ｓ２ｉに供給されることができる。従って、第２トランジスタＴ２ｂ及び第３トランジスタＴ３ｂがターンオフされることができる。
【０１０４】
ストレージキャパシタＣＳｂの一電極と他の電極との間の電圧差は継続して保持され、発光ダイオードＬＤｂは、フレーム期間１ＦＲＡＭＥにおいて第２トランジスタＴ２ｂ及び第３トランジスタＴ３ｂがともにターンオフ状態のとき、データ信号ＶＤ２に対応する輝度で発光することができる。
【０１０５】
第３期間Ｐ３において、表示装置１０は第２期間Ｐ２と実質的に同様に駆動されるため、ここでは重複する説明を省略する。
【０１０６】
フレーム期間１ＦＲＡＭＥが終了し、次のフレーム期間は第４期間Ｐ４を含んでもよい。第４期間Ｐ４では、データ線Ｄｊにデータ信号ＶＤ３が供給されることができる。第４期間Ｐ４において、表示装置１０は第１期間Ｐ１と実質的に同様に駆動されるため、ここでは重複する説明を省略する。
【０１０７】
本発明の一実施形態によると、走査駆動部１３は、一フレーム期間１ＦＲＡＭＥ中の非発光区間Ｐ２、Ｐ３の回数を調節することにより、画素ＰＸｉｊｂの発光時間を調節することができる。従って、本発明の一実施形態による表示装置は、発光制御トランジスタ及び発光制御駆動部を備えていなくても、画素ＰＸｉｊｂの発光時間を調節することができる。特に、データ信号の調節のみで、低階調を表現することは困難である可能性が高い。本発明の一実施形態のように、データ信号の大きさとともに該当画素ＰＸｉｊｂの発光時間を調節することによって、低階調をよりよく表現することができる。
【０１０８】
図９は、本発明の他の実施形態による画素を説明するための図である。
【０１０９】
図９の画素ＰＸｉｊｂ’は、図７の画素ＰＸｉｊｂと比べてブーストキャパシタＣＢｂをさらに含んでもよい。
【０１１０】
ブーストキャパシタＣＢｂは一電極が発光ダイオードＬＤｂのアノードに接続され、他の電極が初期化線Ｉｊと接続されることができる。
【０１１１】
図９の画素ＰＸｉｊｂ’の駆動方法は、図６の駆動方法と同様の方法が適用できるため、ここでは重複する説明を省略する。
【０１１２】
図１０は、本発明の一実施形態による移動度センシング部を説明するための図である。
【０１１３】
図１０を参照して、移動度センシング部ＭＢＳＵが図３の画素ＰＸｉｊａに接続される場合を説明する。移動度センシング部ＭＢＳＵが図５の画素ＰＸｉｊａ’に接続される場合も同様であるため、ここでは重複する説明を省略する。
【０１１４】
移動度センシング部ＭＢＳＵは、増幅器ＡＭＰ、キャパシタＣＩ、及びアナログデジタルコンバータＡＤＣ１を含んでもよい。
【０１１５】
本実施形態において、増幅器ＡＭＰの反転端子を第３ノードＮ３と定義し、出力端子を第４ノードＮ４と定義する。増幅器ＡＭＰの非反転端子には第１基準電圧Ｖｒｅｆ１が印加されることができる。
【０１１６】
キャパシタＣＩは、増幅器ＡＭＰの反転端子（即ち、第３ノードＮ３）と出力端子（即ち、第４ノードＮ４）の間に接続されることができる。
【０１１７】
アナログデジタルコンバータＡＤＣ１は、増幅器ＡＭＰの出力端子（即ち、第４ノードＮ４）に接続されることができる。
【０１１８】
移動度センシング期間において、初期化線Ｉｊは移動度センシング部ＭＢＳＵと接続されることができる。例えば、初期化線Ｉｊは、スイッチＳＷＭを介して移動度センシング部ＭＢＳＵと接続されることができる。
【０１１９】
移動度センシング期間は、フレーム期間１ＦＲＡＭＥとは別途の期間で構成され、映像表示に影響を与えないようにすることもできる。本発明の一実施形態において、移動度センシング期間をフレーム期間１ＦＲＡＭＥの一部として構成し、一部の画素に対してのみ遂行することにより、映像表示に与える影響を最小限に抑えることができる。
【０１２０】
移動度センシング期間において、第１走査線Ｓ１ｉ及び第２走査線Ｓ２ｉに、それぞれ、ターンオンレベルの第１走査信号及び第２走査信号が印加されることができるため、第２及び第３トランジスタＴ２ａ、Ｔ３ａをターンオンすることができる。このとき、データ線Ｄｊには特定の電圧が印加されることができ、第１ノードＮ１ａに前記特定の電圧を印加することができる。
【０１２１】
増幅器ＡＭＰは、反転端子と非反転端子の電圧が同じであってもよい（例えば、ＯＰ−ＡＭＰ）。従って、第３ノードＮ３の電圧は第１基準電圧Ｖｒｅｆ１であってもよい。
【０１２２】
例えば、第１トランジスタＴ１ａが飽和状態のとき、第１トランジスタＴ１ａに流れる電流は、下記数式２によって決定されてもよい。
【０１２３】
【数２】
2020134944.tif 000004
【０１２４】
このとき、Ｉｄは第１トランジスタＴ１ａに流れる電流であり、ｕは移動度（ｍｏｂｉｌｉｔｙ）であり、Ｃｏは第１トランジスタＴ１ａのチャネル、絶縁層、及びゲート電極で形成されるキャパシタンスであり、Ｗは第１トランジスタＴ１ａのチャネルの幅であり、Ｌは第１トランジスタＴ１ａのチャネルの長さであり、Ｖｇｓは第１トランジスタＴ１ａのゲート電極とソース電極との間の電圧差であり、Ｖｔｈは第１トランジスタＴ１ａのしきい値電圧値であってもよい。
【０１２５】
ここで、Ｃｏ、Ｗ、Ｌは定数である。Ｖｔｈは他の検出方法（例えば、図１１及び図１２を参照）で検出されてもよい。例えば、Ｖｇｓは特定の電圧と第１基準電圧Ｖｒｅｆ１の差である。ＩｄはアナログデジタルコンバータＡＤＣ１によって測定された第４ノードＮ４の電圧を利用して算出することができる（増幅器ＡＭＰとキャパシタＣＩは積分器の形態で配置される）。従って、残りの変数である移動度ｕを求めることができる。
【０１２６】
移動度センシング部ＭＢＳＵは、図７の画素ＰＸｉｊｂまたは図９の画素ＰＸｉｊｂ’に接続されてもよい。このとき、移動度センシング部ＭＢＳＵは、画素ＰＸｉｊｂ、ＰＸｉｊｂ’のデータ線Ｄｊに接続される点において、図１０の実施形態とは異なるが、移動度センシング方法は図１０と実質的に類似するため、ここでは重複する説明を省略する。
【０１２７】
図１１は本発明の一実施形態によるしきい値電圧センシング部を説明するための図であり、図１２は図１１のしきい値電圧センシング期間を説明するための図である。
【０１２８】
図１１及び図１２を参照して、しきい値電圧センシング部ＴＨＳＵが図３の画素ＰＸｉｊａに接続される場合を説明する。しきい値電圧センシング部ＴＨＳＵが図５の画素ＰＸｉｊａ’に接続される場合も同様であるため、ここでは重複する説明を省略する。
【０１２９】
しきい値電圧センシング部ＴＨＳＵは、基準電圧端子Ｖｒｅｆ２、キャパシタＣＴＨ、及びアナログデジタルコンバータＡＤＣ２を含んでもよい。
【０１３０】
基準電圧端子Ｖｒｅｆ２には第２基準電圧が印加される。例えば、スイッチＳＷＴａ、ＳＷＴｂがターンオンされる場合、基準電圧端子Ｖｒｅｆ２は、初期化線Ｉｊと接続されることができる。
【０１３１】
キャパシタＣＴＨは一電極がアナログデジタルコンバータＡＤＣ２と接続され、他の電極には支持基準端子Ｓｒｅｆが接続されることができる。例えば、支持基準端子Ｓｒｅｆには接地電圧が印加されることができる。例えば、スイッチＳＷＴａ、ＳＷＴｃがターンオンされる場合、キャパシタＣＴＨの一電極は、初期化線Ｉｊと接続されることができる。
【０１３２】
しきい値電圧センシング期間において、初期化線Ｉｊはしきい値電圧センシング部ＴＨＳＵに接続されることができる。例えば、しきい値電圧センシング期間において、初期化線ＩｊはスイッチＳＷＴａを介してしきい値電圧センシング部ＴＨＳＵに接続されることができる。
【０１３３】
しきい値電圧センシング期間は、フレーム期間１ＦＲＡＭＥとは別途の期間で構成されて、映像表示に影響を与えないようにすることもできる。本発明の一実施形態において、しきい値電圧センシング期間をフレーム期間１ＦＲＡＭＥの一部として構成し、一部の画素に対してのみ遂行することにより、映像表示に与える影響を最小限に抑えることができる。
【０１３４】
しきい値電圧センシング期間において、初期化線Ｉｊは、スイッチＳＷＴａ及びスイッチＳＷＴｂを介して基準電圧端子Ｖｒｅｆ２にまず接続される。次に初期化線Ｉｊは、スイッチＳＷＴｃを介してキャパシタＣＴＨの一電極に接続されることができる。以下では、図１２を参照してより詳細に説明する。
【０１３５】
まず、第１時点ｔ１において、第２電源線ＥＬＶＳＳの電圧が上昇させ、第２電源線ＥＬＶＳＳの電圧を第２ノードＮ２ａの電圧よりも高くすることにより、発光ダイオードＬＤａの発光を予め防止することができる。
【０１３６】
次いで、第２時点ｔ２において、基準電圧端子が初期化線Ｉｊと接続されることにより、初期化線Ｉｊが第２基準電圧Ｖｒｅｆ２に放電される。
【０１３７】
第３時点ｔ３において、第１走査線Ｓ１ｉ及び第２走査線Ｓ２ｉに、ターンオンレベルの第１走査信号及び第２走査信号が印加されることができる。このとき、データ線Ｄｊにデータ基準電圧Ｄｒｅｆが印加されることができる。また、初期化線Ｉｊは、キャパシタＣＴＨの一電極と接続されることができる。
【０１３８】
第２ノードＮ２ａは、第２基準電圧Ｖｒｅｆ２から電圧Ｄｒｅｆ−Ｖｔまで上昇することができる。第２ノードＮ２ａが電圧Ｄｒｅｆ−Ｖｔｈまで上昇すると、第１トランジスタＴ１ａはターンオフされるため、第２ノードＮ２ａの電圧はそれ以上上昇しない。
【０１３９】
このとき、アナログデジタルコンバータＡＤＣ２は、第２ノードＮ２ａの電圧が書き込まれたキャパシタＣＴＨの一電極の電圧を受信することにより、第１トランジスタＴ１ａのしきい電圧値Ｖｔｈを算出することができる。
【０１４０】
しきい値電圧センシング部ＴＨＳＵは、図７の画素ＰＸｉｊｂまたは図９の画素ＰＸｉｊｂ’にも接続されることができる。このとき、しきい値電圧センシング部ＴＨＳＵは、画素ＰＸｉｊｂ、ＰＸｉｊｂ’のデータ線Ｄｊに接続される点において、図１１の実施形態とは異なるが、しきい値電圧センシング方法は図１２と実質的に類似するため、ここでは重複する説明を省略する。
【０１４１】
以上、参照した図面と記載された発明の詳細な説明は、本発明の例示的なものであり、これは本発明の一実施形態を説明するための目的で使用されたに過ぎず、意味の限定や特許請求の範囲に記載された本発明の範囲を制限するために使用されたものではない。従って、本技術分野の通常の知識を有する者であれば、そこから様々な変形及び均等な他の実施形態が可能であるというが理解できるだろう。従って、本発明の本当の技術的保護範囲は、添付の特許請求の範囲の技術的思想によって定まるべきである。
【符号の説明】
【０１４２】
ＰＸｉｊａ  画素
Ｔ１ａ  第１トランジスタ
Ｔ２ａ  第２トランジスタ
Ｔ３ａ  第３トランジスタ
ＣＳａ  ストレージキャパシタ
ＬＤａ  発光ダイオード
【図１】
2020134944.tif 000005
【図２】
2020134944.tif 000006
【図３】
2020134944.tif 000007
【図４】
2020134944.tif 000008
【図５】
2020134944.tif 000009
【図６】
2020134944.tif 000010
【図７】
2020134944.tif 000011
【図８】
2020134944.tif 000012
【図９】
2020134944.tif 000013
【図１０】
2020134944.tif 000014
【図１１】
2020134944.tif 000015
【図１２】
2020134944.tif 000016